(57)【要約】【課題】番組録画予約の際に、映像記録装置から利用者に対して、映像録画装置の内部状態（録画予約一覧、残容量等）を利用者の要求に応じて通知する。【解決手段】録画予約情報を利用者の携帯端末から通信ネットワークを介して受信し、該録画予約情報に従って録画が可能か否か判断する（Ｓ１１〜Ｓ１４）。録画が可能な場合、映像記録装置１の録画予約後の残容量を含む装置の内部状態を取得し、該内部状態を通信ネットワーク上のＷｅｂサーバへ送信する（Ｓ６）。更に録画予約情報が登録されたこと及び前記ＷｅｂサーバのＵＲＬを示すメールを利用者の携帯端末に返信する（Ｓ１９）。Ｗｅｂサーバに格納された前記内部状態は、前記通信ネットワークを介した利用者からの指示に応じて該利用者に通知される。【選択図】    図３
2004328375.tif 000002
【特許請求の範囲】
【請求項１】
通信ネットワークを介して外部装置と通信する映像記録装置であって、
放送された映像を記録媒体に記録する記録部と、
前記通信ネットワークを介した通信を制御する通信制御手段と、
前記装置の内部状態を取得する取得手段と、
前記取得手段にて取得された前記内部状態を前記通信制御手段を用いて、前記通信ネットワーク上のサーバへ送信し格納する内部状態送信手段とを具備し、
前記サーバに格納された前記内部状態は、前記通信ネットワークを介した利用者からの指示に応じて該利用者に通知されることを特徴とする映像記録装置。
【請求項２】
前記通信制御部を介して録画予約情報を受信する受信手段と、
前記受信された録画予約情報に従って、録画が可能か否か判断する判断手段と、
前記録画が可能な場合、前記受信手段にて受信された前記録画予約情報を登録する登録手段と、
前記録画予約情報が登録されたことを示すメールを前記通信制御手段を介して利用者の携帯端末に送信するメール送信手段と、
前記登録手段により登録された前記録画予約情報に基づいて前記記録部を制御し、予約録画を行う予約録画手段とを更に具備し、
前記取得手段は、前記登録手段により録画予約情報が登録された後の前記内部状態を取得し、該登録後の内部状態が前記内部状態送信手段により前記サーバへ送信され、前記メール送信手段は該サーバのアドレスを前記メールに含めて送信することを特徴とする請求項１記載の映像記録装置。
【請求項３】
前記録画予約情報に基づく前記録画が不可能な場合、前記メール送信手段は録画予約が不可能なことを示すメールを前記通信制御手段を介して前記利用者に送信することを特徴とする請求項２記載の映像記録装置。
【請求項４】
前記録画予約情報に基づく前記録画が不可能な場合、前記メール送信手段は前記サーバのアドレスを示すメールを前記通信制御手段を介して前記利用者に送信することを特徴とする請求項２記載の映像記録装置。
【請求項５】
前記内部状態は録画予約済みの番組一覧表及び録画済みの番組一覧表のいずれか一方を含むことを特徴とする請求項２記載の映像記録装置。
【請求項６】
前記内部状態は録画予約済み番組の件数を含むことを特徴とする請求項２記載の映像記録装置。
【請求項７】
携帯端末は携帯電話あるいはＰＨＳ（Ｐｅｒｓｏｎａｌ  Ｈａｎｄｙ−ｐｈｏｎｅ  Ｓｙｓｔｅｍ）であって、前記内部状態は音声により通知されることを特徴とする請求項２記載の映像記録装置。
【請求項８】
前記メール送信手段は、前記内部状態取得手段により取得された前記内部状態を前記通信制御手段を介して利用者の携帯端末に送信する手段を含み、
前記映像記録装置は、前記内部状態を前記メール送信手段及び前記内部状態送信手段のどちらで送信するか選択するための選択手段を更に具備することを特徴とする請求項２記載の映像記録装置。
【請求項９】
前記内部状態送信手段は、前記通信制御部を介して、内部状態要求メールが受信された場合、前記内部状態を前記通信制御手段を用いて前記通信ネットワーク上のサーバへ送信し、前記メール送信手段は該サーバのアドレスを示すメールを前記通信制御手段を介して前記利用者の携帯端末に送信することを特徴とする請求項２記載の映像記録装置。
【請求項１０】
通信ネットワークを介して外部装置と通信する映像記録装置に適用される録画予約方法であって、
録画予約情報を利用者の携帯端末から通信ネットワークを介して受信するステップと、
受信された前記録画予約情報に従って、録画が可能か否か判断するステップと、
前記録画が可能な場合、前記受信された前記録画予約情報を前記映像記録装置に登録するステップと、
装置の内部状態を取得するステップと、
取得された前記内部状態を通信ネットワーク上のサーバへ送信し格納するステップと、
前記録画予約情報が登録されたこと及び前記サーバのアドレスを示すメールを前記通信ネットワークを介して利用者の携帯端末に送信するステップと、
登録された前記録画予約情報に基づいて前記記録部を制御し、予約録画を行うステップと、
を具備することを特徴とする録画予約方法。
【請求項１１】
前記録画予約情報に基づく前記録画が不可能な場合、録画予約が不可能なことを示すメールを前記通信ネットワークを介して前記利用者に送信するステップを更に具備することを特徴とする請求項１０記載の録画予約方法。
【請求項１２】
前記録画予約情報に基づく前記録画が不可能な場合、前記サーバのアドレスを示すメールを前記通信ネットワークを介して前記利用者に送信するステップを更に具備することを特徴とする請求項１０記載の録画予約方法。
【発明の詳細な説明】
【０００１】
【発明の属する技術分野】
本発明は、インターネット等の通信ネットワークを介して通信を行うことができる映像記録装置及び該通信ネットワークを用いた録画予約方法に関する。
【０００２】
【従来の技術】
映像情報、音声情報、及び制御情報等の情報を記録媒体に記録、及び該記録媒体からそれら情報を再生する映像記録装置では、録画開始日時／録画終了日時、録画ソース（番組）、記録方式（音声記録形式／サイマルキャストの有無等）及び記録レートなどの情報（以下、録画予約情報と略称する）が、装置本体又は付属するリモコン装置から設定されることで、録画予約された日時に、所定の記録レート及び記録方式により、希望（設定）した録画ソースが記録される。
【０００３】
近年では、Ｇコードと呼ばれる録画予約コードをリモコン等の入力装置から記録再生装置に入力することにより、録画（放送）開始日時／録画（放送）終了日時及び放送チャンネル等の録画ソースを特定できる。従って、記録再生装置に入力すべき録画予約情報の量を低減することができる。
【０００４】
又、録画中の番組の放送時間が延長されて終了時刻が変更になった場合、あるいは録画開始前に終了時刻が誤って入力されていることに気づいた場合等において、リモコン又は装置本体に設けられた延長設定部を１回操作する毎に、１５分単位で録画終了時刻を延長できる記録再生装置が開発されている。
【０００５】
又、録画予約後、外出等の理由により、映像記録装置を直接あるいはリモコンにより操作できない場合、既に入力した録画予約情報を変更又は新たな録画予約を追加することができないという問題が生じる。この問題を解決するため、以下の非特許文献１に示すように、録画予約情報等を映像記録装置に通知する手段として、Ｅ−ｍａｉｌを使用する方式が開発された。この映像記録装置の場合、利用者は携帯電話からＥ−ｍａｉｌにより、録画予約情報を映像記録装置に設定することができる。
【０００６】
【非特許文献１】
東芝ＨＤＤ＆ＤＶＤビデオレコーダー取扱説明書
ＵＲＬ：  ｈｔｔｐ：／／ｗｗｗ．ｒｄ−ｓｔｙｌｅ．ｃｏｍ／ｒｄｓｔｙｌｅ／ｃａｎ／ｎｅｔ＿ｎａｖｉ＿０２．ｈｔｍ
【０００７】
【発明が解決しようとする課題】
上記した従来技術においては、利用者は映像記録装置から離れた場所から電子メールを用いて映像記録装置の番組録画予約をおこなうことができるが、映像記録装置の録画及び録画予約状態を事前に知らないが為に、自分の意図した設定で番組録画予約が出来ず、番組録画予約を複数回やりなおさなければならい場合が生じる。更に各番組録画予約をした後に確認メールを受信する度に通話料金が加算されてしまう。
【０００８】
又、遠隔地から電子メールで複数の番組録画予約をする場合、１件目の番組録画予約が完了したことは通知されるが、２件目以降の番組録画予約をする際に、１件目の番組録画によって映像録画装置の空き容量がどれくらいかを確認することができなかった。
【０００９】
そこで、本発明は上記の問題を解決するためになされたものであり番組録画予約の際に、映像記録装置から利用者に対して、映像録画装置の内部状態（録画予約一覧、残容量等）を利用者の要求に応じて、通知することを目的とする。
【００１０】
【課題を解決するための手段】
上記目的を達成するために本発明の一実施形態に係る映像記録装置は、通信ネットワークを介して外部装置と通信する映像記録装置であって、放送された映像を記録媒体に記録する記録部と、前記通信ネットワークを介した通信を制御する通信制御手段と、前記記録媒体の記録可能な残容量を含む前記装置の内部状態を取得する取得手段と、前記取得手段にて取得された前記内部状態を前記通信制御手段を用いて、前記通信ネットワーク上のサーバへ送信し格納する内部状態送信手段とを具備し、前記サーバに格納された前記内部状態は、前記通信ネットワークを介した利用者からの指示に応じて該利用者に通知される。
【００１１】
【発明の実施の形態】
以下、図面を参照しながら本発明の実施の形態について詳細に説明する。
【００１２】
図１は本発明の一実施形態に係る映像記録装置１の構成を示すブロック図である。映像記録装置１は、入力情報を所定の記録媒体に記録し、再生指示に応じて既に記録されている情報を再生する記録再生部１０４、記録再生部１０４への記録及び記録再生部１０４からの再生、及び以下に説明する各部の動作を制御するマイクロコンピュータ（ＭＰＵすなわち主制御装置）１０５を有する。
【００１３】
記録再生部１０４は、例えばＤＶＤ（Ｄｉｇｉｔａｌ  Ｖｅｒｓａｔｉｌｅ  Ｄｉｓｋ）規格に準拠して製造されたディスクＤに、情報の記録及び再生が可能なディスクドライブユニット１０４ａ、ディスクドライブユニット１０４ａにセットされたディスクＤに記録されるデータあるいはディスクＤから再生されたデータの一定量を一時的に保持可能なバッファリングメモリとして機能する一時記録部１０４ｂ、大容量データを記録可能なＨＤＤ１０４ｄ、及びデータプロセッサ１０４ｃを含む。
【００１４】
データプロセッサ１０４ｃは、ＭＰＵ１０５の制御に従って、エンコーダ部１０３から出力された記録データをディスクドライブ１０４ａに供給したり、ディスクＤの再生信号をディスクドライブ１０４ａから取り込み、デコーダ部に供給する。又データプロセッサ１０４ｃは、ＭＰＵ１０５の制御に従って、エンコーダ部１０３から出力された記録データをＨＤＤ１０４ａに供給したり、ＨＤＤ１０４ａからの再生信号をデコーダ部に供給する。更にデータプロセッサ１０４ｃは、ＭＰＵ１０５の制御に従って、ディスクＤあるいはＨＤＤ１０４ａに記録された管理情報を書き替えたり、記録されたデータの削除を行う。
【００１５】
尚、一時記録部１０４ｂは、具体的には、記録途中でディスクの記録容量を使い切ってしまった場合において、ディスクＤが記録容量の残っているディスクに交換されるまでの間、記録対象である情報を、一時記憶しておくことに利用できる。ディスクＤは例えば追記録可能なＤＶＤ−Ｒ、書換え可能なＤＶＤ−ＲＡＭ等の記録可能光ディスクとする。
【００１６】
エンコーダ部１０３は入力された映像信号をエンコードして圧縮する。エンコーダ部１０３には、記録対象である映像信号を外部から入力するためのＡＶ入力端子１０１、及び例えば放送事業者等に代表される情報配信者から配信される映像及び音声が受信可能なチューナ１０２が接続されている。
【００１７】
デコーダ部１０６は記録再生部１０４から出力された映像情報をデコードして伸長する。デコーダ部１０６には、（デコーダ部１０６により）デコードされた再生情報を、テレビ等の再生装置に供給するためのＡＶ出力端子１０７が接続されている。
【００１８】
ＭＰＵ１０５には又、タイマーマイコン１０９が接続され、タイマーマイコン１０９は、映像記録装置１の時間管理に利用されるタイマー回路（時計ユニット）１０９ａを有している。タイマーマイコン１０９には、利用者からの操作（指示）を受け付ける利用者操作入力部１１０が接続されている。
【００１９】
ＭＰＵ１０５には又、録画予約情報あるいは装置１本体の動作状態を表示する表示部１０８、電話回線あるいはＣＡＴＶ回線等により接続されるインターネット等の通信ネットワークを介して、外部から録画予約を入力し及び録画予約の可否を、指定された返信先に通知可能な通信制御部１１２、及び録画予約情報等を保持可能なメモリ１１１が接続されている。尚、通信制御部１１２には、ネットワークにおいて広く利用されているブラウザソフト（ネットワーク内で情報の検索や閲覧が可能な応用ソフトウェア）及び所定の条件下で外部にメールを送信可能な図示しないダイヤラー等が予め用意されている。外部から通信ネットワークを介して入力された録画予約情報は、その録画が可能であれば録画予約情報テーブル１１１ａに登録される。
【００２０】
ＭＰＵ１０５は、メモリ１１１に記憶されている制御プログラムに従い、ディスクＤに対する情報記録再生及び削除、利用者操作入力部１１０を介して入力された録画予約情報に対応する録画動作、表示部１０８を用いた表示動作等を制御する。
【００２１】
タイマーマイコン１０９は、タイマー回路（時計ユニット）１０９ａ及び録画予約情報テーブル１１１ａをモニタしながら、利用者により設定された録画予約情報を管理し、録画予約開始時刻に達した時点でＭＰＵ１０５に録画開始指示、及び録画予約終了時刻に達した時点でＭＰＵ１０５に録画終了指示を出力する。
【００２２】
利用者操作入力部１１０により利用者は、録画、再生、録画予約情報の入力及び録画予約情報の変更等が可能である。又利用者操作入力部１１０は、図示しないリモコン（リモートコントロール端末）から送信された制御信号を受け入れるデータ受信部１１０ｂ、利用者からの直接入力を受付け制御信号をタイマーマイコン１０９へ出力可能な操作パネル１１０ａを含む。
【００２３】
図２は利用者が番組録画予約の際に、図１に示した映像記録装置１に対して、映像録画装置１の内部状態（録画予約一覧、残容量等）をＷｅｂサーバー４を用いて確認するシステムの一例を示す。映像記録装置１及び携帯端末３はインターネット等の通信ネットワークを介してメールサーバー２及びＷｅｂサーバ４に接続されている。
【００２４】
携帯端末３は携帯電話、ＰＣ（Ｐｅｒｓｏｎａｌ  Ｃｏｍｐｕｔｅｒ）、ＰＤＡ（Ｐｅｒｓｏｎａｌ  Ｄｅｇｉｔａｌ  Ａｓｓｉｓｔａｎｔ）、又はＰＨＳ（Ｐｅｒｓｏｎａｌ  Ｈａｎｄｙ−ｐｈｏｎｅ  Ｓｙｓｔｅｍ）等、既存の通信可能機器である。Ｗｅｂサーバ４はインターネット上のサイトであって、例えば映像記録装置１のメーカーが開設し、利用者は無料で使用することができる。利用者（又は映像記録装置１）はＷｅｂサーバのインターネットアドレスであるＵＲＬ（Ｕｎｉｆｏｒｍ  Ｒｅｓｏｕｒｃｅ  Ｌｏｃａｔｏｒ）に暗証番号等の識別番号を付してサイトを特定することにより、Ｗｅｂサーバにアクセスできる。
【００２５】
図２において、携帯端末３により利用者から録画予約情報を含むメールが、メールサーバ（商用通信制御装置）２に送信される。この録画予約情報には、放送局ＩＤ、録画開始及び終了時刻、記録レート等が含まれる。メール送信先アドレスは映像記録装置１固有のアドレスである。映像記録装置１は、メールサーバ２からメールを受信し、メール本文中の特定の符号列を予約情報と判断し、該予約情報をメモリ１１１に格納する。
【００２６】
映像記録装置１の電源が入っている状態又はスタンバイ状態で、映像記録装置１からメールサーバ２へのアクセスは、利用者が設定した時間間隔で実行可能である。スタンバイ状態では、タイマーマイコン１０９、ＭＰＵ１０５、メモリ１１１、通信制御部１１２のみに電源が供給されている。
【００２７】
図３は、図２のシステムを用いたメールによる録画予約の取り込み及び録画予約登録手順の一例を示すフローチャートである。
【００２８】
始めに、ＭＰＵ１０５は通信制御装置１１２を介して、予め指定されているメールサーバの所定のメールボックスに、装置１宛のメールが着信しているか否かチェックする（Ｓ１１）。メールが着信していれば、メールボックスからメールを取込む（Ｓ１２）。次にＭＰＵ１０５は取り込んだメールの中に録画予約メールがあるか判断し（Ｓ１３）、録画予約メールがなければ録画予約が終了される。
【００２９】
録画予約メールがある場合（ステップＳ１３でＹｅｓ）、ＭＰＵ１０５は受信した録画予約メールに対して、メールの内容通りに録画予約が可能か否か判断する（Ｓ１４）。つまりＭＰＵ１０５は一時記録部１０４ｂ、ディスクＤ又はＨＤＤ１０４ｄの管理情報、及び録画予約情報テーブル１１１ａを参照して、予約録画が実行された場合に、記録可能な残容量及び録画予約件数等、映像記録装置１の内部状態がどの様に変化するかを確認し、予約可能か判断する。新たな録画予約が不可能である場合には（ステップＳ１４でＮｏ）、ＭＰＵ１０５は一時記録部１０４ｂ、ディスクＤ又はＨＤＤ１０４ｄの管理情報、及び録画予約情報テーブル１１１ａから内部状態を取得し、該内部状態をＷｅｂサーバー４に送信及び格納する（Ｓ１５）。又ＭＰＵ１０５は、メール予約ができなかったことと共に、内部状態を格納するＷｅｂサーバーのＵＲＬをメールで利用者の携帯端末に通知して（Ｓ１６）、録画予約が終了される。
【００３０】
Ｗｅｂサーバーに格納された内部状態は、利用者が該Ｗｅｂサーバーにアクセスし、内部状態の転送を指示することにより利用者へ転送さる。このように内部状態は要求に応じて利用者に転送されるので、不要な通信を防止できる。更に、内部状態の送信による利用者に対する費用負担の発生はない。メール予約が出来なかったことにより伝わるメールのフォーマットの一例を図４に示す。
【００３１】
録画予約が可能である場合（ステップＳ１４でＹｅｓ）、ステップＳ１７のように、そのメール内容に従って、メモリ１１１の録画予約情報テーブル１１１ａに録画予約が前述したように追加登録される。
【００３２】
さらにＭＰＵ１０５は一時記録部１０４ｂ、ディスクＤ及びＨＤＤ１０４ｄの管理情報、及び録画予約情報テーブル１１１ａをチェックし、録画予約が登録された後の内部状態を取得し、該内部状態をＷｅｂサーバー４に送信し、Ｗｅｂサーバ４に既に格納されたていた内部状態を更新する（Ｓ１８）。更にメール録画予約が完了したことと共に、内部状態を格納したＷｅｂサーバーのＵＲＬをメールで通知する（Ｓ１９）。メール予約が出来たことにより伝わるメールのフォーマットの一例を図５に示す。フローはこの後、ステップＳ１１に戻り、更なる録画予約が着信しているか確認され、前述したような動作が繰り返される。
【００３３】
ステップＳ１５又はＳ１８において取得される内部状態の一例を図６に示す。このように内部状態は、録画予約済みの番組及び既に録画した番組の録画開始及び終了時刻の一覧表、録画予約総件数、予約録画が全て実行された場合の残容量を含み、ＨＤＤ１０４ａ及びディスクドライブ１０４ａに装填されたディスクＤについて示している。例えば、ＤＶＤの残量量が少なく、ＨＤＤの残容量が十分ある場合、利用者により録画先がＤＶＤに指定され、予約録画が不可能なとき、利用者は内部状態を受信することにより、録画先をＨＤＤに変更すればよいことが直ぐに確認できる。又、映像記録装置は一般に録画予約件数に例えば１０件等の制限があり、残容量が充分ある場合でも、録画予約件数が制限値に達していると録画することができない。内部状態として録画予約総件数を示すことにより、利用者は残容量とは別に件数としてあと何件録画できるかを確認できる。
【００３４】
上記説明では利用者が番組録画予約をした際に記録装置１の内部状態を伝えることを特徴としているが、番組録画予約時に限らずに、利用者が内部状態のみを要求するメールを送信し、該内部状態をＷｅｂサーバーから受信するといった実施形態も有効である。図７はそのような実施形態を示すフローチャートである。図３のフローチャートに比べ、ステップＳ２１〜Ｓ２３が追加されている。このように、メールで録画予約をする前に、映像記録装置１の内部状態を確認することにより、例えば映像記録装置１の残容量が少なくて、予約不可能な場合に、利用者による不要な録画予約情報の入力及びメール送信を防止できる。内部状態送信要求があったときに携帯端末３に送信されるメールのフォーマットの一例を図８に示す。
【００３５】
以上説明したように本実施形態によれば、映像記録装置１が自身の内部状態をＷｅｂサーバに転送することにより、必要に応じていつでも利用者は内部状態を確認することができる。従って利用者が録画予約に失敗する回数が低減され、通話料金の増加を防止できる。
【００３６】
次に本発明の他の実施形態を説明する。
【００３７】
内部状態をＷｅｂサーバを介さずに、直接利用者の携帯端末３に送信することも可能である。従って、内部状態を携帯端末３に送るか、あるいは図３のステップＳ１５、ＳＳ１８のようにＷｅｂサーバに送るかを利用者が選択できるようにしても良い。その選択は、携帯端末３から送られる録画予約メールを用いて設定しても良いし、映像記録装置１の操作パネル又はリモコンを用いて設定しても良い。又、内部状態を音声データとしてＷｅｂサーバへ格納しても良い。その場合、利用者は内部状態を音声で確認できる。
【００３８】
次に本発明の更に他の実施形態を説明する。
【００３９】
利用者にとって、番組録画予約終了時に映像記録装置１の内部状態の要不要は、録画予約の度に変化する。例えば番組録画予約を１件しか実行しない場合に利用者は、記録再生装置の内部状態を知る必要がないかもしれないが、録画予約を複数件実行したい場合、１件目の番組予約終了時点で、記録再生装置が続きの番組予約を受け入れられる状態にあるのか知りたいであろう。
【００４０】
このような場合に対応して、本実施形態の映像記録装置は、内部状態をメールで通知するか否か、又はＷｅｂサーバーに転送するか否かの選択を利用者が設定できることを特徴とする。選択の方法の一例として、例えば番組録画予約時に送信するメールにより利用者が設定する方式、記録装置内部にスイッチを具備する方式、あるいはリモコンで設定する方式など複数の方式が考えられる。
【００４１】
【発明の効果】
以上説明したように本発明によれば、映像記録装置の記録可能な残容量を含む内部状態を、必要に応じて利用者の携帯端末に送信することができるので、映像記録装置の利便性が向上する。
【図面の簡単な説明】
【図１】本発明の１実施形態に係る映像記録装置１の構成を示すブロック図。
【図２】利用者が番組録画予約の際に、映像録画装置１の内部状態をＷｅｂサーバー４を用いて確認するシステムの一例を示す図。
【図３】図２のシステムにおけるメールによる録画予約の取り込み及び録画予約登録手順の一例を示すフローチャート
【図４】録画予約が出来なかったことにより伝わるメールのフォーマットの一例を示す図。
【図５】録画予約が出来たことにより伝わるメールのフォーマットの一例を示す図。
【図６】映像記録装置の内部状態の一例を示す図。
【図７】利用者が内部状態のみを要求するメールを送信し、該内部状態をＷｅｂサーバーから受信するシステムの動作を示すフローチャート。
【図８】内部状態送信要求があったときに送信されるメールのフォーマットの一例示す図。
【符号の説明】
１…映像記録装置、２…メールサーバ、３…端末装置、１０１…映像信号入力端子、１０２…ＴＶチューナ、１０３…エンコーダ部、１０４…記録再生部、１０５…マイクロプロセッサユニット、１０６…デコーダ部、１０７…映像出力端子、１０８…表示部、１０９…タイマーマイコン、１１０…利用者操作入力部、１１１…メモリ、１１２…通信制御部
【図１】
2004328375.tif 000003
【図２】
2004328375.tif 000004
【図３】
2004328375.tif 000005
【図４】
2004328375.tif 000006
【図５】
2004328375.tif 000007
【図６】
2004328375.tif 000008
【図７】
2004328375.tif 000009
【図８】
2004328375.tif 000010